(57)【要約】【課題】  カメラハウジングがチルティングする場合についても、冷却効果の低下を軽減することを可能にしたカメラハウジングを提供する。【解決手段】  本発明のカメラハウジングは、撮像装置を収容する筐体と、少なくとも一部において前記筐体との間に空隙を有するように前記筐体を覆うカバーと、を備え、チルト機能を有する雲台装置に固定されるカメラハウジングであって、前記カバーの上面に前記空隙と前記カバーの外部とを通気する通気部を備え、該通気部は、前記カバーに前記雲台装置のチルト軸に対して垂直な平面内に形成され、前記通気部を挟む少なくとも一方の側において、前記カバーの上面から上方に延在する平面を形成する延長部を有する、ことを特徴とする。【選択図】  図１
2017120289.tif 000002
【特許請求の範囲】
【請求項１】
撮像装置を収容する筐体と、少なくとも一部において前記筐体との間に空隙を有するように前記筐体を覆うカバーと、を備え、チルト機能を有する雲台装置に固定されるカメラハウジングであって、
前記カバーの上面に前記空隙と前記カバーの外部とを通気する通気部を備え、該通気部は、前記カバーに前記雲台装置のチルト軸に対して垂直な平面内に形成され、
前記通気部を挟む少なくとも一方の側において、前記カバーの上面から上方に延在する平面を形成する延長部を有する、
ことを特徴とするカメラハウジング。
【請求項２】
前記延長部は前記通気部を挟む両側において前記カバーの上面から鉛直上方向に延在する対向面を形成する、ことを特徴とする請求項１に記載のカメラハウジング。
【請求項３】
前記通気部は、前記カバーの上部に前記垂直な方向に形成されたスリットである、ことを特徴とする請求項１又は２に記載のカメラハウジング。
【請求項４】
前記通気部は、前記カバーの上部に、前記垂直な方向に並んで形成された複数の開口部である、ことを特徴とする請求項１又は２に記載のカメラハウジング。
【請求項５】
前記延長部は前記カバーに対して回動可能となるようにヒンジ接続され、前記延長部と前記カバーの間に弾性体を有する、ことを特徴とする請求項２に記載のカメラハウジング。
【請求項６】
前記延長部は前記カバーよりも輻射率の高い材料で構成されることを特徴とする請求項１乃至５のいずれか１項に記載のカメラハウジング。
【請求項７】
前記延長部に取っ手用の穴を有した請求項１乃至６のいずれか１項に記載のカメラハウジング。
【請求項８】
請求項１乃至７のいずれか１項に記載のカメラハウジングと、
前記カメラハウジング内に収容された撮像装置と、
前記カメラハウジングをチルティングする駆動部と、
を有する、
ことを特徴とする雲台撮影装置。
【発明の詳細な説明】
【技術分野】
【０００１】
本発明は、カメラ装置等を収納するカメラハウジングに関し、特にサンシェードを有するカメラハウジング及びそれを有する雲台撮影装置に関するものである。
【背景技術】
【０００２】
屋外に設置し、周囲の状況を撮影する雲台装置のカメラハウジングについて、内部機器により発生する熱や直射日光により、内部や表面は非常に高温になる。そこで、カメラハウジングで発生した熱を外気に放出するための技術が提案されている。例えば従来では、筒状のカメラハウジングにおいて、サンシェード上部に空冷促進部を設置し、太陽熱によって外気との熱交換を促進し、カメラハウジングで発生した熱を外気に放出している。
【先行技術文献】
【特許文献】
【０００３】
【特許文献１】特開２０１３−０５４１００号公報
【発明の概要】
【発明が解決しようとする課題】
【０００４】
しかしながら、上述の特許文献に開示された従来技術では、カメラハウジング自体がチルティングする雲台装置について、ハウジング周りの流路が斜めになり壁面抵抗が増大し、冷却効果が低下してしまうという問題は考慮されていない。
【０００５】
そこで、本発明の目的は、カメラハウジングがチルティングする場合についても、冷却効果の低下を軽減することを可能にしたカメラハウジング及びそれを有する雲台撮影装置を提供することである。
【課題を解決するための手段】
【０００６】
上記目的を達成するために、本発明のカメラハウジングは、撮像装置を収容する筐体と、少なくとも一部において前記筐体との間に空隙を有するように前記筐体を覆うカバーと、を備え、チルト機能を有する雲台装置に固定されるカメラハウジングであって、前記カバーの上面に前記空隙と前記カバーの外部とを通気する通気部を備え、該通気部は、前記カバーに前記雲台装置のチルト軸に対して垂直な平面内に形成され、前記通気部を挟む少なくとも一方の側において、前記カバーの上面から上方に延在する平面を形成する延長部を有する、ことを特徴とする。
【発明の効果】
【０００７】
本発明により、カメラハウジングがチルティングする場合についても、冷却効果の低下を軽減することを可能にしたカメラハウジングを提供することができるため、冷却効果の低下を軽減することを可能にしたカメラハウジング及びそれを有する雲台撮影装置を提供することである。
【図面の簡単な説明】
【０００８】
【図１】本発明の実施例に係る、雲台撮影装置１の断面を示した概略構成図
【図２】実施例１のカメラハウジング２のＡ視図
【図３】実施例１の空気の流れを可視化したＡ視図
【図４】実施例１の変形例１を示したカメラハウジング２のＡ視図
【図５】実施例１の変形例２を示したカメラハウジング２のＡ視図
【図６】実施例１の変形例３を示したカメラハウジング２のＡ視図
【図７】実施例２のカメラハウジング２のＡ視図
【図８】実施例２のカメラハウジング２の側面から見た図
【図９】実施例２のカメラハウジング２の詳細図
【図１０】実施例２のカメラハウジング２の風が吹いた場合の側面から見た図
【図１１】実施例３のカメラハウジング２の側面から見た図
【発明を実施するための形態】
【０００９】
以下に、本発明の好ましい実施の形態を、添付の図面に基づいて詳細に説明する。
【実施例１】
【００１０】
以下、図１〜５を参照して、本発明の第１の実施例による、チルト機能を有する雲台撮影装置がチルティングする場合でも、冷却効果の低下を軽減することを可能にしたカメラハウジング及びそれを有する雲台撮影装置について説明する。
【００１１】
図１は、本発明の実施形態に係る、雲台撮影装置１を側面方向から見た概略構成図である。雲台撮影装置１はカメラハウジング（筐体）２、ヘッド３、ベース４より構成され、カメラハウジング２がヘッド３に対して回転することでチルティングを行うチルティング駆動部を備え、ヘッド３がベース４に対して回転することでパンニングを行うパンニング駆動部を備える。カメラハウジング２内には撮像装置５がカメラ台７に固定されて収容され、カメラ台７はカメラハウジング２の底部に固定されている。撮像装置５はカメラハウジング２の前面に配置されている保護ガラス６を通して周囲を撮影する。
【００１２】
なお、カメラ台７に固定される撮像装置５の光軸が、チルティング駆動部のチルト軸に垂直な平面内に位置するように、撮像装置５はカメラ台７に固定される。また、カメラ台７は、そのように撮像装置５がカメラハウジング２に固定されるように構成される。なお、撮像装置５の光軸が、チルティング駆動部のチルト軸に垂直な平面内に厳密に位置することに、本発明が限定されることはない。撮像装置５の光軸と、チルティング駆動部のチルト軸に垂直な平面とのなす角が、１０度以内、より好ましくは５度以内であれば本発明の効果は十分に享受可能であり、このような範囲を、撮像装置５の光軸は、チルティング駆動部のチルト軸に垂直な平面内にあると記載することとする。
【００１３】
雲台撮影装置１の前面から見た図（Ａ視図）が図２である。図２の通りカメラハウジング２はハウジング筐体２０１とサンシェード（カバー部材）２０２、板２０３、接続部２０４で構成される。サンシェード２０２は、少なくとも一部においてカメラハウジング２との間に空隙を有するようにカメラハウジング２を覆うように構成される。サンシェード上面には、前記空隙とサンシェード２０２の外部とを通気するスリット２０５（通気部）を有する。スリット２０５（通気部）が形成される場所は、サンシェード２０２の鉛直方向で最も上部の位置を含むように構成されることが好ましいが、必ずしもこの構成に限定されることはない。板２０３（延長部）はサンシェード上面に設けられた光軸と平行なスリット２０５の端面に、サンシェード上面と垂直に上方に向けて延在するように構成される。さらに、板２０３（延長部）は、スリットを両側から挟むように配置された２枚の板２０３同士で対向面を形成するように突設して構成されている。この時、スリット２０５は光軸に平行な不連続な穴列（開口部の列）であってもよい。板２０３はサンシェード２０２と一体で構成されていても、別体として作られて不図示のビスなどでサンシェード２０２に固定されてもよい。サンシェード下部２０６は外気に対して開口している。ハウジング筐体２０１とサンシェード２０２は接続部２０４で接続されている。接続部２０４は、熱伝導率の小さい材料で形成されることが望ましく、ハウジング筐体２０１とサンシェード２０２との接触断面積はなるべく小さい方が、ハウジング筐体の冷却効果を高めることができる。
【００１４】
この構成において、屋外に設置された場合、板２０３は日光によって加熱され、高温になる。これにより板２０３の間の空気が暖められ、図２の鉛直上向きに上昇気流が発生する。上昇気流が発生することによりスリット２０５周辺の気圧が低下し、サンシェード下部２０６からハウジング筐体２０１とサンシェード２０２の間に空気が流れ込む。以上より、サンシェード下部２０６から、スリット２０５上部へ向かう空気流路が形成される。その結果、流入する空気がハウジング筐体２０１近傍を通過する過程で熱交換を行うことによりハウジング筐体２０１は冷却される。図２の状態において、微風速雰囲気下で流路を可視化したものが図３である。矢印３０１方向に微風が吹いているとする。３０２はスリットに侵入する空気流路を示している。カメラハウジング２周りの空気が上記の流路を通っていることが分かる。
【００１５】
板２０３をサンシェード２０２よりも輻射率の高い材料で製造されているか、塗装、又は表面処理を施すことにより、板２０３間の空気をより暖めることができる。これにより、板２０３間により大きな上昇気流を発生させることができ、ハウジング筐体２０１の冷却効率を高めることができる。また、板２０３をサンシェード２０２と別体として、両者の間を断熱して固定することにより、ハウジング筐体２０１の冷却効率をさらに高めることができる。
【００１６】
ハウジング筐体２０１とサンシェード２０２を接続する接続部２０４は熱伝導率の低い素材、又は表面処理を施した素材を用いてもよい。これにより高温となるサンシェード２０２と冷却対象であるハウジング筐体２０１を熱的に遮断し、冷却効果を高めることができる。また、接続部２０４はサンシェード下部２０６からスリット２０５上部へ向かう空気の流れを阻害しない流線型の形状をしていてもよい。
【００１７】
次に実施例１の変形例１について説明する。図４に変形例１のＡ視図を示す。サンシェード４０１の上面に光軸に平行なスリット４０３が２本切られている。サンシェード４０１とハウジング筐体２０１は接続部４０２により接続されている。２本スリット４０３のそれぞれの端には板４０４が設けられている。以上の構成により、上記請求項１で示した流路を各スリット４０３に形成し、ハウジング筐体２０１を冷却することができる。
【００１８】
次に実施例１の変形例２について説明する。図５に変形例２のＡ視図を示す。サンシェード５０１の上面に光軸に平行なスリット５０３がサンシェード５０１上面の端に切られている。また、このスリット５０３に向かってサンシェード５０１は上方向に傾くように設けられている。サンシェード５０１とハウジング筐体２０１は接続部５０２により接続されている。スリット５０３の端とサンシェード５０１の上面の端が一致しており、鉛直方向にサンシェード５０１が延長されている。また、スリット５０３のサンシェード５０１の上面の端が一致していないほうの端には板５０４が設けられている。以上の構成により、上記請求項１で示した流路を形成し、ハウジング筐体２０１を冷却することができる。
【００１９】
本発明のカメラハウジングにおいては、上記の構成を有することにより、雲台装置によってカメラハウジングがチルト駆動されたとしても、サンシェードとハウジング筐体間の空隙の加熱された空気は、チルティング角度に関わらず、通気部であるスリット２０５、４０３、５０３から外部に流出することができる。すなわち、２枚の板２０３、４０４、５０４によって形成された層状の流路（煙突効果の煙突の役割を果たす流路）は、スリット２０５、４０３、５０３から流路内に流入した空気に対して、チルト角度に関わらず、一定の煙突効果を得ることができる。これは、通気部であるスリット２０５、４０３、５０３から前記層状の流路に流入した空気は、チルト角度に関わらず、鉛直真上方向の流路が確保できるためである。そのため、チルト角度の影響を受けない冷却効果を得ることができる。
【００２０】
次に実施例１の変形例３について説明する。図６に変形例３のＡ視図を示す。サンシェード２０２の上面に光軸に平行なスリット２０５が形成されていることについては、図２を用いて説明した実施例１と同様である。実施例１との違いは、スリット２０５の両端に板２０３が設けられている実施例１に対して、変形例３においては、スリット２０５の一方の端のみから板２０３ａが設けられていることである。板２０３ａは鉛直上方向に向けて延在するように設置されている実施例１、変形例１，２とは異なり、スリット２０５を覆うように鉛直方向から傾斜して設けられている。この変形例３の構成によっても、上記請求項１で示した流路を各スリット４０３に形成し、ハウジング筐体２０１を冷却することができる。
【実施例２】
【００２１】
以下、図７〜１０を参照して、本発明の第２の実施例による、耐風速性を向上させたカメラハウジングがチルティングする筐体ハウジングについても、冷却効果の低下を軽減することを可能にした雲台撮影装置について説明する。
【００２２】
第２の実施例を示したカメラハウジング２のＡ視図が図７、側面から見た図が図８である。図７の通りカメラハウジング２はハウジング筐体２０１とサンシェード６０１、接続部６０２、板６０３、弾性体６０５、可動梁６０６、蝶番６０７で構成される。板６０３はサンシェード６０１の上面に設けられた光軸と平行なスリット６０４の端に、対向するよう構成されている。サンシェード６０１のスリット６０４の端と板６０３の端は、１つ以上の蝶番６０７により回動可能にヒンジ接続されている。可動梁６０６は対向する板６０３と回動可能にヒンジ接続されている。以上の構成により、対向する板６０３は平行を保ちつつ、スリット６０４の端の蝶番６０７を中心に滑らかに回動することができる。そして、弾性体６０５の両端はサンシェード６０１と板６０３にそれぞれ回動可能に接続されている。弾性体６０５は、例えば引っ張りバネを用い、板６０３をそれぞれ矢印６０９、６１０方向に引っ張る力が働いている。図７は可動梁６０６を介して力のつり合っている状態を表す。この時、弾性体は圧縮ばねを用い、力方向は矢印６０９とは逆方向でもよい。図８より、可動梁６０６はスリット６０４上部を塞がない形状になっており、複数設けてもよい。可動梁６０６の回動可能のため、板６０３には逃げ形状７０１が設けられている。図９は図８左方の可動梁６０６周辺を拡大した図である。可動梁６０６の回動可能のため、板６０３には逃げ形状７０１とともに、回動軸８０１が設けられており、不図示のビス、又は溶着などにより固定されている。
【００２３】
サンシェード下部６０８は外気に開口している。ハウジング筐体２０１とサンシェード６０１は接続部６０２で接続されている。接続部６０２はサンシェード下部６０８からスリット６０４の上部への空気の流れを阻害しない形状をしている。
【００２４】
以上の構成により、無風時においては第１の実施例と同じ効果を発揮できる。また、強風時においてのＡ視図を図１０に示す。矢印９０１は風向きを示しており、板６０３は弾性体６０５の弾性力と風により受ける力が釣り合うところまで傾く（板６０３とサンシェード６０１との間の角度が決まる）ため、風向での投影面積が小さくなり第１の実施例よりも耐風速性が向上する。以上より、カメラハウジングがチルティングする場合についても、冷却効果の低下を軽減することを可能にしたカメラハウジングを提供することができる。
【実施例３】
【００２５】
以下、図１１を参照して、本発明の第３の実施例による、取っ手の機能を有したカメラハウジングがチルティングする筐体ハウジングについても、冷却効果の低下を軽減することを可能にした雲台装置について説明する。
【００２６】
第３の実施例を示したカメラハウジング２の側面から見た図が図１１である。構成は第１の実施例とほぼ同じであり、第１の実施例とは板２０３が板１００３になっている点が異なる。板１００３には貫通穴１００１が設けられている。そして貫通穴１００１にはそれぞれ怪我防止ゴム１００２が設けられており、ハウジングの取り外しを行う取っ手用としての役割を持つ。
【００２７】
以上の構成により、少ない部品点数で作業性を向上させ、かつ、カメラハウジングがチルティングする場合についても、冷却効果の低下を軽減することを可能にしたカメラハウジングを提供することができる。
【００２８】
以上、本発明の好ましい実施形態について説明したが、本発明はこれらの実施形態に限定されず、その要旨の範囲内で種々の変形及び変更が可能である。
【符号の説明】
【００２９】
１  ：雲台装置
２  ：カメラハウジング
５  ：撮像装置
２０１  ：ハウジング筐体
２０２、４０１、５０１、６０１  ：サンシェード（カバー部材）
２０５、４０３、５０３、６０４  ：スリット
【図１】
2017120289.tif 000003
【図２】
2017120289.tif 000004
【図３】
2017120289.tif 000005
【図４】
2017120289.tif 000006
【図５】
2017120289.tif 000007
【図６】
2017120289.tif 000008
【図７】
2017120289.tif 000009
【図８】
2017120289.tif 000010
【図９】
2017120289.tif 000011
【図１０】
2017120289.tif 000012
【図１１】
2017120289.tif 000013